(57)【要約】      （修正有）【課題】後方プロジェクション技術を用いることにより、反射鏡を介して投射距離を延長させることができ、搭乗者の動作自由度を制限せず、スクリーンに投射される映像を遮らない後方プロジェクションを用いたカーシアターシステムを提供する。【解決手段】車両内に設けられ映像を再生する映像再生機１４０、前記車両のクラッシュパッド２２０に装着され、前記映像再生機１４０と連結ポートを介して電気的に接続され、前記映像再生機１４０から生成される映像を拡大させて後方プロジェクション方式で投射するプロジェクター１１０、前記プロジェクター１１０の前方に配置され、前記プロジェクター１１０から車両の前方に投射される映像を車両の後方に反射させる反射鏡１２０、及びウインドシールドガラスと隣接した車両屋根２１０に設けられ、前記反射鏡１２０を介して反射された映像が結像するスクリーン１３０を含むことを特徴とする。【選択図】図４
2011116346.tif 000002
【特許請求の範囲】
【請求項１】
プロジェクターとスクリーンを介して映像をディスプレーするよう、車両の内部に設けられたカーシアターシステムにおいて、
車両内に設けられ映像を再生する映像再生機、
前記車両のクラッシュパッドに装着され、前記映像再生機と連結ポートを介して電気的に接続され、前記映像再生機から生成される映像を拡大させて後方プロジェクション方式で投射するプロジェクター、
前記プロジェクターの前方に配置され、前記プロジェクターから車両の前方に投射される映像を車両の後方に反射させる反射鏡、及び
ウインドシールドガラスと隣接した車両屋根に設けられ、前記反射鏡を介して反射された映像が結像するスクリーン
を含むことを特徴とするプロジェクターと反射鏡を用いたカーシアターシステム。
【請求項２】
前記連結ポートは、車両の前席のセンターフェイシア下端部に設けられたＡＵＸ／ＵＳＢ連結ポートであることを特徴とする請求項１に記載のプロジェクターと反射鏡を用いたカーシアターシステム。
【請求項３】
前記スクリーンは、搭乗者の動きを制限しないように車両屋根の前方下端に据え置かれることを特徴とする請求項１に記載のプロジェクターと反射鏡を用いたカーシアターシステム。
【請求項４】
前記プロジェクターと前記反射鏡との間の角度は９２度であることを特徴とする請求項３に記載のプロジェクターと反射鏡を用いたカーシアターシステム。
【請求項５】
前記プロジェクターと前記反射鏡との間の距離が１８０ｍｍの場合、８５ｍｍ長さの反射鏡を介して８１０ｍｍの投射距離を確保することを特徴とする請求項１に記載のプロジェクターと反射鏡を用いたカーシアターシステム。
【請求項６】
前記スクリーンは、前記８１０ｍｍの投射距離を介して対角線基準で２０インチの大きさを有することを特徴とする請求項５に記載のプロジェクターと反射鏡を用いたカーシアターシステム。
【請求項７】
プロジェクターとスクリーンを介して映像をディスプレーするように車両の内部に設けられたカーシアターシステムにおいて、
車両内に設けられ映像を再生する映像再生機、
前記車両のクラッシュパッドに装着され、前記映像再生機と連結ポートを介して電気的に接続され、前記映像再生機から生成される映像を拡大させて後方プロジェクション方式で投射するプロジェクター、及び
車両屋根から前の窓ガラスの後方に設けられ、前記プロジェクターを介して投射された映像が結像するスクリーン
を含むことを特徴とする後方プロジェクション方式のカーシアターシステム。
【請求項８】
前記連結ポートは、車両の前席のセンターフェイシア下端部に設けられたＡＵＸ／ＵＳＢ連結ポートであることを特徴とする請求項７に記載の後方プロジェクション方式のカーシアターシステム。
【発明の詳細な説明】
【技術分野】
【０００１】
本発明はカーシアターシステムに係り、より詳しくはスクリーン後方プロジェクション技術を車両内に適用する、プロジェクターと反射鏡を用いたカーシアターシステム及び後方プロジェクション方式のカーシアターシステムに関する。
【背景技術】
【０００２】
一般の車両用ＡＶシステム（Ａｕｄｉｏ  ＆  Ｖｉｄｅｏ  ｓｙｓｔｅｍ）の構成を検討してみれば、ＤＶＤプレーヤーやＶＴＲプレーヤーなどの再生装置に車両の各部に装着されたスピーカなどと連結されている音響装置と液晶テレビなどのディスプレー装置を連結して用いている。ところが、音響装置は密閉された室内の四方にスピーカが配置されるので音響の出力が非常に優れるが、ディスプレー装置は普通の小型液晶ＴＶを用いているので、画面の大きさが小さく迫真力のある画面を得難く、大型液晶ＴＶや他の種類のディスプレー装置を用いるには車両の内部の空間が狭いため適切な代案がない実情であった。
【０００３】
このような問題点を解決すべく車両内に設けられるカーシアターシステムに対する技術を開発した。
【０００４】
図１は、車両内に設けられたカーシアターシステムの概念を説明するための図面であって、車両３０内にプロジェクター１０及びスクリーン２０を備えることにより、運転士４０が車両の内部の狭小な空間でも、大型液晶ＴＶや他の種類のディスプレー装置を用いることができる。
【０００５】
このようなカーシアターシステムに係る先行技術である特許文献１には、本願発明と同一出願人により出願され登録された大韓民国特許登録番号第１０−０５６０２２５号明細書（公開日：２００５年０２月２１日）には「カーシアターシステム」との名称の発明が開示されているが、特許文献１の図２及び図３を参照して具体的に説明する。
【０００６】
図２は、従来の技術に係るカーシアターシステムの構成を例示する図であり、図３は従来の技術に係るカーシアターシステムの他の構成を例示する図である。図２はビームプロジェクターが前席に設けられた場合を示し、図３はビームプロジェクターが後席に設けられた場合を示す。
【０００７】
図２を参照すれば、従来の技術に係るカーシアターシステムは、大きく映像を走査するビームプロジェクター１０と、前記ビームプロジェクター１０から走査された映像が結像するスクリーン装置であるロ−ルスクリーン２０からなり、ビームプロジェクター１０が前席３２に設けられる。
【０００８】
前記ビームプロジェクター１０は、車両の中央位置に該当するセンターアームレストの付近に位置しウインドシールドガラス３１方向にビームを走査するように配置される。より具体的に、ビームプロジェクター１０をセンターアームレストの内部に収納していて、必要時に取り出して用いることができ、またはセンターアームレストの上部にビームプロジェクター１０を固定する固定手段を備え、必要時にビームプロジェクター１０を前記固定手段に固定して用いる方式を採用することもできる。
【０００９】
さらに、スクリーン装置として用いられるロ−ルスクリーン２０は、車両の内部空間が狭くならないよう普段は収納されていて、必要時に取り出されるもので、前記ロ−ルスクリーン２０は車両の内部空間で展開できる最大の面積を確保し、運転士が楽な姿勢で画面を眺めることができるようにするため、ウインドシールドガラス３１の真後ろの屋根３４に装着され、ウインドシールドガラス３１面と平行に取り出されるようにする。このようにすれば、ロ−ルスクリーン２０を展開したとき、眺める視線とウインドシールドガラスを介して前方を見詰める時の視線が同一なので、運転士や乗客は車両のシートで楽な姿勢で画面を鑑賞することができる。ところが、ビームプロジェクター１０が前席３２に設けられる場合、投射距離が短いとの問題点がある。
【００１０】
図３を参照すれば、従来の技術に係るカーシアターシステムは、投射距離の短い問題点を解決すべく前席３２の背もたれを後ろに反らして後席３３と一致するように作った後、横になって視聴できる角度を提供する。さらに、前記ロ−ルスクリーン２０とビームプロジェクター１０の配置では前席３２の背もたれを前方に反らして後席３３に座った際、前席３２の背もたれが視野を遮られないようにすれば、後席３３に座って映画を鑑賞することも可能である。
【００１１】
図２及び図３に示した従来の技術に係るカーシアターシステムは、スクリーン前方にビームプロジェクターを設けてビームプロジェクターがスクリーン前方に直接映像を投射するスクリーン後方プロジェクション技術である。
【００１２】
しかし、このようにスクリーン後方プロジェクション技術を用いる場合、ビームプロジェクターにより搭乗者の動作自由度を制限し、投射される映像を遮ることがある問題点などが発生する。さらに、現在殆どの車両などがパワーアウトレット及びビデオ／オーディオ端子が前方に位置しているので、このような場合、相当長い電源線及びビデオ／オーディオ線が必要なので、使用利便性が落ちるとの問題点がある。
【先行技術文献】
【特許文献】
【００１３】
【特許文献１】大韓民国特許登録番号第１０−０５６０２２５号明細書
【発明の概要】
【発明が解決しようとする課題】
【００１４】
本発明は前記のような点に鑑みてなされたものであって、本発明の主な目的は、後方プロジェクション技術を適用し、反射鏡を介して投射距離を延長させ得る後方プロジェクションを用いたカーシアターシステムを提供することにある。
【００１５】
さらに、本発明が成そうとする他の技術的課題は、搭乗者の動作自由度を制限せず、スクリーンに投射される映像を遮らない後方プロジェクションを用いたカーシアターシステムを提供することにある。
【００１６】
さらに、本発明が成そうとする他の技術的課題は、後方プロジェクション技術を用いて前席のセンターフェイシア下端部に連結ポートを設けることにより、プロジェクターに連結される電源線及びビデオ／オーディオ線の長さを短縮させ得る後方プロジェクションを用いたカーシアターシステムを提供することにある。
【００１７】
さらに、本発明が成そうとする他の技術的課題は、後方プロジェクション技術を用いて車両の後方に設けられたスクリーンに映像を投射できる後方プロジェクション方式のカーシアターシステムを提供することにある。
【課題を解決するための手段】
【００１８】
前記目的を達成するための、本発明に係る後方プロジェクションを用いたカーシアターシステムは、プロジェクターとスクリーンを介して映像をディスプレーすべく車両の内部に設けられたカーシアター（Ｃａｒ  ｔｈｅａｔｅｒ）システムにおいて、車両内に設けられ映像を再生する映像再生機、前記車両のクラッシュパッドに装着され、前記映像再生機と連結ポートを介して電気的に接続され、前記映像再生機から生成される映像を拡大させて後方プロジェクション方式で投射するプロジェクター、前記プロジェクターの前方に配置され、前記プロジェクターから車両の前方に投射される映像を車両の後方に反射させる反射鏡、及びウインドシールドガラスと隣接した車両屋根に設けられ、前記反射鏡を介して反射された映像が結像するスクリーンを含んで構成されることを特徴とする。
【００１９】
ここで、前記連結ポートは車両前席のセンターフェイシア（ｃｅｎｔｅｒ  ｆａｓｃｉａ）下端部に設けられたＡＵＸ／ＵＳＢ連結ポートである。
【００２０】
前記スクリーンは、搭乗者の動きを制限しないように車両屋根の前方下端に据え置かれる。
【００２１】
ここで、前記プロジェクターと前記反射鏡との間の角度は９２度である。
【００２２】
ここで、前記プロジェクターと前記反射鏡との間の距離が１８０ｍｍの場合、８５ｍｍ長さの反射鏡を介して８１０ｍｍの投射距離を確保し、前記スクリーンは前記８１０ｍｍの投射距離を介して対角線基準で２０インチの大きさを有することを特徴とする。
【００２３】
前記目的を達成するための本発明の他の発明に係る後方プロジェクション方式のカーシアターシステムは、プロジェクターとスクリーンを介して映像をディスプレーするように車両の内部に設けられたカーシアターシステムにおいて、車両内に設けられて映像を再生する映像再生機、前記車両のクラッシュパッドに装着され、前記映像再生機と連結ポートを介して電気的に接続され、前記映像再生機から生成される映像を拡大させて後方プロジェクション方式で投射するプロジェクター、及び車両屋根から前の窓ガラスの後方に設けられ、前記プロジェクターを介して投射された映像が結像するスクリーンを含んで構成されることを特徴とする。
【００２４】
ここで、前記連結ポートは車両前席のセンターフェイシア（ｃｅｎｔｅｒ  ｆａｓｃｉａ）下端部に設けられたＡＵＸ／ＵＳＢ連結ポートであることを特徴とする。
【発明の効果】
【００２５】
本発明によれば、後方プロジェクション技術を用いることにより、反射鏡を介して投射距離を延長させ得る。
【００２６】
本発明によれば、搭乗者の動作自由度を制限せずとも、スクリーンに投射される映像を遮らなくなる。
【００２７】
本発明によれば、前席のセンターフェイシア下端部に連結ポートを設けてプロジェクターに連結される電源線の長さ、及びビデオ／オーディオ線の長さを短縮させることにより、使用利便性が向上する。
【００２８】
本発明によれば、後方プロジェクション技術を用いて車両の後方に設けられたスクリーンに映像を投射することができる。
【図面の簡単な説明】
【００２９】
【図１】車両内に設けられたカーシアターシステムの概念を説明するための図である。
【図２】従来の技術に係るカーシアターシステムの構成を例示する図である。
【図３】従来の技術に係るカーシアターシステムの他の構成を例示する図である。
【図４】本発明の実施例に係るプロジェクターと反射鏡を用いたカーシアターシステムを示す図である。
【図５】本発明の実施例に係るプロジェクターと反射鏡を用いたカーシアターシステムでポート連結を例示する図である。
【図６】本発明の実施例に係るプロジェクターと反射鏡を用いたカーシアターシステムで投射距離が延長される原理を説明するための図である。
【図７】本発明の実施例に係るプロジェクターと反射鏡を用いたカーシアターシステムで、投射距離とスクリーンの大きさとの関係を例示する図である。
【図８】本発明の実施例に係るプロジェクターと反射鏡を用いたカーシアターシステムと従来のカーシアターシステムを比較説明するための図である。
【図９】本発明の他の実施例に係る後方プロジェクション方式のカーシアターシステムを示す図である。
【発明を実施するための最良の形態】
【００３０】
下記では、図を参照しながら本発明の属する技術分野で通常の知識を有する者が容易に実施できるように本発明の実施例を詳しく説明する。しかし、本発明は色々相違する形態に具現され得るものであり、ここで説明する実施例に限定されない。そして、図で本発明を明確に説明するため、説明と関係のない部分は省略しており、明細書の全体を介して類似の部分に対しては類似の図面符号を付与している。
【００３１】
図４は、本発明の実施例に係るプロジェクターと反射鏡を用いたカーシアターシステムを示す図である。
【００３２】
図４を参照すれば、本発明の実施例に係るプロジェクターと反射鏡を用いたカーシアターシステムは、プロジェクター１１０、反射鏡１２０、スクリーン１３０、及び映像再生機１４０を含むことができる。
【００３３】
映像再生機１４０は車両内に設けられ、前記映像再生機１４０はビデオプレーヤーやＤＶＤプレーヤーをいうもので、これは映像を再生する全ての形態の機器を含む。さらに、前記映像再生機１４０は映像信号とともに音響信号を再生するための再生装置であり得、このとき、前記映像再生機１４０から出力された音響信号の入力を受けて音響を出力する音響装置、例えば、スピーカが車両の内部の通常の位置に搭載され得る。
【００３４】
プロジェクター１１０は前記車両のクラッシュパッド（ダッシュボード）２２０に装着され、前記映像再生機１４０と連結ポートを介して電気的に接続され、前記映像再生機１４０から生成される映像を拡大させて後方プロジェクション方式で投射する。ここで、プロジェクター１１０の内部構成は通常知られているので、詳細な説明は省略する。
【００３５】
反射鏡１２０は前記プロジェクター１１０の前方に配置され、前記プロジェクター１１０から車両の前方に投射される映像を車両の後方に反射させ、このような反射鏡１２０によりプロジェクター１１０からスクリーン１３０に投射される投射距離が延長される。
【００３６】
スクリーン１３０はウインドシールドガラスと隣接した乗用車の車両屋根２１０に設けられ、前記プロジェクター１１０から投射されて前記反射鏡１２０を介して反射された映像が結像する。ここで、前記車両は乗用車を基準に図示したが、ＲＶ車両や乗合車両にも適用することができる。このとき、前記スクリーン１３０は搭乗者の動きを制限しないように車両屋根２１０の前方下端に据え置かれるのが好ましい。
【００３７】
結局、本発明の実施例に係るプロジェクターと反射鏡を用いたカーシアターシステムは、後方プロジェクション技術を用いることにより、反射鏡を介して投射距離を延長させることができ、搭乗者の動作自由度を制限せずとも、スクリーンに投射される映像を遮らなくなる。
【００３８】
図５は、本発明の実施例に係るプロジェクターと反射鏡を用いたカーシアターシステムでポート連結を例示する図である。
【００３９】
本発明の実施例に係るプロジェクターと反射鏡を用いたカーシアターシステムは、図５に示したように、センターフェイシア下端部１５０にＡＵＸ／ＵＳＢ連結ポート１６０を適用することができる。ここで、センターフェイシア（ｃｅｎｔｅｒ  ｆａｓｃｉａ）はダッシュボードの中央で運転席と助手席の間にあるコントロールパネルボードをいい、ダッシュボードとシフトレバーが垂直に会う部位で、ここにはオーディオ、エアコン、ヒータのコントローラー、ナビゲーター、送風口、シガージャックと灰皿、カップホールダなどを設ける。さらに、これはセンターコンソールとともに運転席と助手席を区分する壁の役目もする。
【００４０】
従って、本発明の実施例に係るプロジェクターと反射鏡を用いたカーシアターシステムは、前席のセンターフェイシア下端部１５０にＡＵＸ／ＵＳＢ連結ポート１６０を設け、プロジェクター１１０に連結される電源線及びビデオ／オーディオ線の長さを短縮させることにより、使用利便性を向上させ得る。
【００４１】
一方、図６は、本発明の実施例に係るプロジェクターと反射鏡を用いたカーシアターシステムで投射距離が延長される原理を説明するための図である。
【００４２】
図６を参照すれば、本発明の実施例に係るプロジェクターと反射鏡を用いたカーシアターシステムは、反射鏡１２０を用いてプロジェクター１１０の投射距離を確保することになる。
【００４３】
例えば、空間が定められた車両の内部でプロジェクター１１０と反射鏡１２０との間の距離は１８０ｍｍであれば、約８５ｍｍ長さの反射鏡１２０がプロジェクター１１０の前方に配置され、約８１０ｍｍの投射距離を確保することができるが、車両の内部の後席のシートにプロジェクター１１０を設けた場合よりも投射距離を延長させることができる。このとき、プロジェクター１１０と反射鏡１２０との間の角度は、前記プロジェクター１１０、反射鏡１２０及びスクリーン１３０それぞれの位置に応じて変更され得るが、例えば、９２度であるのが好ましく、さらに、プロジェクター１１０と反射鏡１２０との間の距離及び車両の種類などにより変更され得る。
【００４４】
本発明の実施例で、スクリーン後方プロジェクション技術を当該車両内に適用することによりカーシアターの具現を容易にし、従来の技術でクラッシュパッドにプロジェクター１１０を据え置く場合、投射距離が縮まる問題点を反射鏡１２０を用いて解決することができる。さらに、従来のカーシアターシステムをそのまま用いることができるので、パワーアウトレット及びビデオ／オーディオ端子の活用が容易である。
【００４５】
一方、図７は本発明の実施例に係るプロジェクターと反射鏡を用いたカーシアターシステムで、投射距離とスクリーンの大きさとの関係を例示する図である。
通常、プロジェクター１１０とスクリーン１３０との間の距離である投射距離が遠いほどスクリーン１３０の大きさは大きくなり、映像は曇ることがある。図７に示したように、投射距離とスクリーンの大きさとの関係が定められ得る。即ち、スクリーン１３０の大きさが大きくなるためには投射距離を延長させなければならないが、車両の内部にはその空間が定められており、直接投射によっては投射距離を延長させることができないので、本発明の実施例は反射鏡１２０を用いることにより投射距離を延長させることになる。
【００４６】
図８は、本発明の実施例に係るプロジェクターと反射鏡を用いたカーシアターシステムと従来のカーシアターシステムを比較説明するための図である。
【００４７】
図８を参照すれば、従来のカーシアターシステムの場合、プロジェクター１１０ｂをスクリーン１３０ｂに直接投射すると、スクリーン１３０ｂの大きさは１８ｉｎｃｈ（対角線基準）になるが、本発明の実施例に係るプロジェクターと反射鏡を用いたカーシアターシステムの場合、プロジェクター１１０ａを反射鏡１２０を介してスクリーン１３０ａに反射投射すると、スクリーン１３０ａの大きさは２０ｉｎｃｈ（対角線基準）になり得る。即ち、直接投射時に投射距離が不足して画面のサイズを縮小しなければならず、使用者がプロジェクター機器の操作が困難な問題点を容易に解決することができる。
【００４８】
結局、本発明の実施例に係るプロジェクターと反射鏡を用いたカーシアターシステムは、後方プロジェクション技術を用いることにより、反射鏡を介して投射距離を延長させることができ、搭乗者の動作自由度を制限せずとも、スクリーンに投射される映像を遮らなくなる。
【００４９】
一方、図９は、本発明の他の実施例に係る後方プロジェクション方式のカーシアターシステムを示す図である。
【００５０】
図９を参照すれば、本発明の他の実施例に係る後方プロジェクション方式のカーシアターシステムは、プロジェクター３１０、スクリーン３３０、及び映像再生機３４０を含むことができる。
【００５１】
映像再生機３４０は車両内に設けられ、前記映像再生機３４０はビデオプレーヤーやＤＶＤプレーヤーをいうもので、これは映像を再生する全ての形態の機器を含むことができる。
【００５２】
プロジェクター３１０は前記車両のクラッシュパッドに装着され、前記映像再生機３４０と連結ポートを介して電気的に接続され、前記映像再生機３４０から生成される映像を拡大させて後方プロジェクション方式で投射する。ここで、プロジェクター３１０の内部構成は通常知られているので、詳しい説明は省略する。
【００５３】
スクリーン３３０は乗用車の車両屋根から前の窓ガラスの後部分に設けられ、前記プロジェクター３１０から投射された映像が結像する。ここで、前記車両は乗用車を基準に図示したが、ＲＶ車両や乗合車両にも適用することができる。
【００５４】
結局、本発明の他の実施例に係る後方プロジェクターを用いたカーシアターシステムは、後方プロジェクション技術を用いることにより前述の反射鏡がなくとも車両の後方に配置されたスクリーンに映像が結像するようになる。
【００５５】
本発明の説明は例示するためのものであり、本発明の属する技術分野の通常の知識を有する者は、本発明の技術的思想や必須の特徴を変更せずとも他の具体的な形態に容易に変形可能である。よって、以上で記述した実施例などは全ての面で例示的なものであり、限定的ではないものと理解しなければならない。
【００５６】
本発明の範囲は、前記詳細な説明よりは後述する特許請求範囲に示されており、特許請求範囲の意味及び範囲、さらにその均等概念から導出される全ての変更または変形された形態が本発明の範囲に含まれるものと解釈されなければならない。
【産業上の利用可能性】
【００５７】
本発明は、スクリーン後方プロジェクション技術を車両内に適用する後方プロジェクションを用いたカーシアターシステムの分野に適用できる。
【符号の説明】
【００５８】
１１０，１１０ａ，１１０ｂ：プロジェクター
１２０：反射鏡
１３０，１３０ａ，１３０ｂ：スクリーン
１４０：映像再生機
１５０：センターフェイシア（ｃｅｎｔｅｒ  ｆａｓｃｉａ）下端部
１６０：ＡＵＸ／ＵＳＢ連結ポート
２１０：車両屋根
２２０：クラッシュパッド
３１０：プロジェクター
３３０：スクリーン
３４０：映像再生機
【図１】
2011116346.tif 000003
【図２】
2011116346.tif 000004
【図３】
2011116346.tif 000005
【図４】
2011116346.tif 000006
【図５】
2011116346.tif 000007
【図６】
2011116346.tif 000008
【図７】
2011116346.tif 000009
【図８】
2011116346.tif 000010
【図９】
2011116346.tif 000011